(57)【要約】      （修正有）【課題】一回の吸引操作で清掃面に収集された粉塵を集塵室に吸引可能で、この吸引操作の時に塵取り器を電気掃除機の吸引力を利用して安定して固定することで吸引操作を容易に行い得る塵取り器を提供する。【解決手段】ゴミ集塵室が３側面薄板の下方端が平坦状に形成されて、外部の平坦面に対して密着可能とされ、上方上面薄板の前方側端が左右面薄板の前方側端からわずかに上方側に位置するように形成されて、空間部に連通し、外部の平坦面に対して細幅スリット状のゴミ取り入れ口を形成することが可能とされ、かつ電気掃除機の吸塵ホースに接続される接続パイプがゴミ集塵室に開口されて設けられる。【選択図】図１
0003178558.tif 000002
【実用新案登録請求の範囲】
【請求項１】
上方上面薄板と左右及び後方の３側面薄板が一体成形され、下方側が外部に開放された空間部形態を有する一方側開放の箱状のゴミ集塵室を備え、
該ゴミ集塵室は、前記３側面薄板の下方端が平坦状に形成されて、外部の平坦面に対して密着可能とされ、前記上方上面薄板の前方側端が前記左右面薄板の前方側端からわずかに上方側に位置するように形成されて、前記空間部に連通し、外部の平坦面に対して細幅スリット状のゴミ取り入れ口が形成され、
かつ電気掃除機の吸塵ホースに接続される接続パイプが前記ゴミ集塵室に開口されて設けられること
を特徴とする電気掃除機に接続される塵取り器。
【考案の詳細な説明】
【技術分野】
【０００１】
本考案は、電気掃除機に接続される塵取り器に関する。
【背景技術】
【０００２】
紡糸モップ、紙モップ、ほうき等の掃除具でかき集めた塵や掃除具に付着した粉塵を、周囲に飛散させることなく除去する吸引式除塵具、すなわち電気掃除機に接続される塵取り器が提案されている。
【０００３】
特許文献１には、前端を開放してゴミ取り入れ口とした箱状のゴミ収容部と、他のゴミ取り入れ口を前端に有して、密閉された集塵室とを備え、電気掃除機の吸塵パイプに接続される接続口を集塵室に開口して形成した電気掃除機に接続される塵取り器が開示されている。
【先行技術文献】
【特許文献】
【０００４】
【特許文献１】実用新案登録第３１１２３５３号公報
【考案の概要】
【考案が解決しようとする課題】
【０００５】
紡糸モップ、紙モップあるいはほうきなどで集めた粉塵を電気掃除機に接続された塵取り器で吸引することで再び被清掃面に散乱することを防止することがなされる。
【０００６】
従来、この塵取り器を構成するに当っては、ほぼ密閉した箱状をした集塵室が設けられて来た。特許文献１にもこの種のタイプの集塵室が記載されている。このような構造の集塵室は密閉した箱形状とされているために形成されたゴミ取り入れ口は底板の存在によって清掃面より上方に形成され、電気掃除機で吸引したときにゴミ取り入れ口と清掃面との間にわずかであるが吸引されなかった粉塵が取り残されることになり、この取り残された粉塵を吸引するために塵取り器を何度も後方へと移動させながら吸引を繰り返してもどうしてもほんの少しの粉塵が取り残されていた。
【０００７】
本考案は、かかる点に鑑み一回の吸引操作で清掃面に収集された粉塵を集塵室に吸引可能で、この吸引操作の時に塵取り器を電気掃除機の吸引力を利用して安定して固定することで吸引操作を容易に行い得るようにすることを目的とする。
【課題を解決するための手段】
【０００８】
本考案は、上方上面薄板と左右及び後方の３側面薄板が一体成形され、下方側が外部に開放された空間部形態を有する一方側開放の箱状のゴミ集塵室を備え、
該ゴミ集塵室は、前記３側面薄板の下方側が平坦状に形成されて、外部の平坦面に対して密着可能とされ、前記上方上面薄板の前方側端が前記左右面薄板の前方側端からわずかに上方側に位置するように形成されて、前記空間部に連通し、外部の平坦面に対して細幅スリット状のゴミ取り入れ口が形成され、
かつ電気掃除機の吸塵ホースに接続される接続パイプが前記ゴミ集塵室に開口されて設けられること
を特徴とする電気掃除機に接続される塵取り器を提供する。
【考案の効果】
【０００９】
本考案は、上述したように、３側面薄板の下方端が平坦状に形成されて、清掃面、すなわち外部の平坦面に対して密着可能とされて構成されることで、電気掃除機の吸引操作によって集塵室内に負圧が生成されて塵取り器が外部の平坦面に密着固定される。そして、形成された細幅スリット状のゴミ取り入れ口が外部の平坦面に対して直接的に接した状態とされることで従来必要とされた底板によるゴミ取り入れ口の浮き上りがない。このため、吸引操作した時に、ゴミ取り入れ口の前方にあった粉塵は取り残されることなく、塵取り器を後方へ移動操作して吸引を継続して行うことなく、一回の吸引操作で、きれいに集塵室に吸引される。また、本考案の塵取り器は、底板が設けられないので、その分構造が簡単化され、製造コストも低減される。
【図面の簡単な説明】
【００１０】
【図１】本考案の実施例の外観を示す図。
【図２】図１のＡ−Ａ断面図。
【考案を実施するための形態】
【００１１】
以下、本考案の実施例を図面に基づいて説明する。
【実施例】
【００１２】
図１は、本考案の実施例である塵取り器の外組図であり、図２は図１のＡ−Ａ断面図である。
【００１３】
図１及び図２において、本考案の塵取り器１は、市販されているプラスチック製の塵取り器を用いることで、形状を構成し得る。したがって、構成するに当って市販の塵取り器を改造することで容易に形成することができる。勿論、新しく射出成形機で一体成形することが望ましい。
【００１４】
本考案の塵取り器１は、上方上面薄板２及び左右の左右側面薄板３（一方側の側面薄板は図からは見えない。）、後方の後方側面薄板４がプラスチック射出成形機で一体成形されて形成され、下方側が外部に開放された空間部形態を有する箱状のゴミ集塵室（図２にゴミ集塵室１０で示す。）を備える。市販の塵取り器を利用して上下ひっくり返して配置した形状をなしている。
【００１５】
上方上面１は、後方側から前方側に向けて漸次傾斜した形状を有し、左右面薄板３は平面平坦状を呈し、後方面薄板４は後方になめらかに突出した形状を呈している。
【００１６】
図１において、上方側をＵＰＰＥＲ６、下方側をＬＯＷＥＲ７で示した。図１において、左方が前方側で、右方が後方側である。
【００１７】
ゴミ集塵室１０は、前述した３側面薄板２、３、４の縁端である下方端８が平坦状に形成されて、清掃面である外部の平坦面１１に対して密着可能とされる。また、ゴミ集塵室１０は、上方上面薄板２の前方側端９が左右面薄板３の前方側端２２からわずかに上方側に位置するように形成されて、外部の平坦面に対して形成された細幅スリット状のゴミ取り入れ口２３を備える。このゴミ取り入れ口２３の下方側には当然のことながら底板がない。すなわちゴミ取り入れ口２３は、外部の平坦面に直接接触する形態で形成される。高さ方向のスリット幅は、例えば２−５ｍｍとされる。
【００１８】
ゴミ集塵室１０は、上方上面１の前方部に段差が形成され、段差によって形成される後方面２０は傾斜を急とし、前方面２１は傾斜を緩とされる。前方面２１の傾斜を緩とすることによってゴミ取り入れ口２３を形成したときに、ゴミ取り入れ口に形成されるスリット形状を前方から後方に向けて幅広として、吸引時における負圧を維持せしめることができ、粉塵の吸引に好都合となる。
【００１９】
市販されている塵取り器を活用して製作するような場合、上方上面薄板は、左右面薄板３の前方側端２２まで延在しており、単にひっくり返しただけでは細幅スリット状のゴミ取り入れ口２３を形成することはできない。このため、上方上面薄板の前方部、すなわち前方面２１の前方部をわずかに切り欠くと、上方上面薄板２は傾斜面で形成されているので、上方上面薄板２の前方側端９は前方側端２２からわずかに浮き上った形成とすることができ、これによって左右方向に細幅のスリット状のゴミ取り入れ口２３を形成することができる。
【００２０】
市販されている塵取り器を活用せずに製作するような場合には当初から細幅のスリット状のゴミ取り入れ口２３が形成されるように設計し、射出成形して形成すればよい。
【００２１】
細幅スリット状のゴミ取り入れ口２３は、ゴミ集塵室１０の内部に形成された空間部に連通する。
【００２２】
前方面２１の中央部には、外部の平坦面１１に向くようにしてスリット高さを維持する台片３０が設けてある。この台片３０の高さはスリット高さと同一とされ、電気掃除機の操作によってゴミ集塵室１０が負圧とされた時に、上方上面薄板２の前方端９が外部の平坦面１１に向けて曲がり、スリット高さが制限されることがないようにする。
【００２３】
上方上面薄板２の後方側に電気掃除機の吸塵ホース（図示せず）に接続される接続パイプ３２が設置され、前述した空間部に向けて開口する。すなわち接続パイプ３２はゴミ集塵室に開口して接続される。この例にあっては、接続パイプ４を上方上面薄板２の中央に設けているが、左右側面薄板３あるいは後方側面薄板４に設けるようにしてもよい。また、中央でなくてもよい。
【００２４】
後方側面薄板４には後方に延在する把手３３が設けられる。この把手を設ける場合に、平坦面を形成する下方端８よりも下方側に突出しないようにする。市販の塵取り器を利用するような場合には、取り付けてある把手をそのまま利用するようにすればよい。この把手を取り付けておくことによって塵取り器１の持ち運びに便利となる。
【００２５】
本例にあっては、上方上面薄板２の上方上面が傾斜のある面としたが、傾斜することなく、水平面で形成することができる。この場合には上方上面薄板１で前方側面薄板を形成し、前方側面薄板に細幅のスリット状ゴミ取り入れ口２３を形成することになる。
【００２６】
以上、説明した構造を持つ塵取り器１が外部の平坦面１１に載置される。外部の平坦面上には、紡糸モップ、紙モップあるいはほうき等の掃除具によって集められた粉塵が貯められ、一部の粉塵は掃除具に付着する。
【００２７】
電気掃除機の吸塵ホースを接続パイプ３２に接続させ、電気掃除機のスイッチをＯＮにして吸引操作を行う。
【００２８】
吸引操作によってゴミ集塵室内の空気が吸引され、ゴミ集塵室１０の空間部に負圧が生成される。負圧は、塵取り器１を外部の平坦面に密着させる。
【００２９】
これによって塵取り器１は一定の所に固着され、多少の力を加えても動くことはない。
【００３０】
このような固着された状態で、掃除具によって収集された粉塵はゴミ取り入れ口２３付近に運ばれると、吸引される空気によってゴミ集塵室１０に吸引される。
【００３１】
本実施例によれば、３側面薄板の下方端が平坦状に形成されて、清掃面、すなわち外部の平坦面に対して密着可能とされて構成されることで、電気掃除機の吸引操作によって集塵室の空間部に負圧が生成されて塵取り器を外部の平坦面に密着固定させる。そして、形成された細幅スリット状のゴミ取り入れ口が外部の平坦面に対して直接的に接した状態とされることで従来必要とされた底板によるゴミ取り入れ口の浮き上りがない。このため、吸引操作した時に、ゴミ取り入れ口の前方にあった粉塵は取り残されることなく、塵取り器を後方へ移動操作して吸引を継続して行うことなく、一回の吸引操作で、きれいに集塵室に吸引される。また、紡糸モップ、紙モップあるいはほうきに付着した粉塵も容易に吸引されて除去される。また、本考案の塵取り器は、底板が設けられないので、その分構造が簡単化され、製造コストも低減される。
【符号の説明】
【００３２】
１…塵取り器、２…上方上面薄板、３…左右側面薄板、４…後方側面薄板、８…下方端、９…前方側端、１０…ゴミ集塵室、１１…外部の平坦面、２０…後方面、２１…前方面、２２…前方側端、２３…ゴミ取り入れ口、３２…接続パイプ、３３…把手。
【図１】
0003178558.tif 000003
【図２】
0003178558.tif 000004